(57)【要約】【課題】携帯電話機でも近傍の固定電話機でも着信および呼び出しが可能で、さらに、着信呼を不必要に固定電話機に転送することがないようにする。【解決手段】携帯電話機１１０は、基地局１００より着信が入ると、無線部Ａ１１１を介し中央制御部１１３へ着信信号を送信する。中央制御部１１３は、着信音やバイブレータ、ＬＥＤ点滅など、予め設定された手段で呼び出しを行う。このとき、中央制御部１１３はユーザが呼び出しにバイブレータのみまたはＬＥＤ点滅のみの設定や、呼出回数が所定回数を超えることを検出した場合、携帯電話機１１０に着信が入ったことを知らせる信号を、無線部Ｂ１１２を介して固定電話機１２０に送信する。それを受けた固定電話機１２０は携帯電話機１１０に着信が入ったことを中央制御部１２３へ伝える。中央制御部１２３はスピーカ１２５で呼出音を鳴らす。【選択図】      図１
2005033635.tif 000002
【特許請求の範囲】
【請求項１】
基地局と通信を行う第１の無線部と、固定電話機との近距離無線通信を行う第２の無線部とを備える携帯電話機であって、着信時に自身の呼び出しに加え前記携帯電話機に着信があることをユーザに通知するため、この着信時の呼出設定および呼出回数を判定し、所定条件が満たされた場合には前記第２の無線部を介して着信通知を送信し前記固定電話機を呼び出して応答可能にさせる制御手段を備えることを特徴とする携帯電話機。
【請求項２】
携帯電話機と近距離無線通信を行う無線部を備える固定電話機であって、前記携帯電話機への着信時にこの携帯電話機への着信があったことをユーザに通知するため、前記携帯電話機での呼出設定および呼出回数の所定条件が満たされた場合には前記無線部を介して着信通知を受信し固定電話機の呼び出しを行い応答可能にさせる制御手段を備えることを特徴とする固定電話機。
【請求項３】
携帯電話機と近距離無線通信を行う無線部を備える固定電話機であって、所定のエリアに存在する複数の携帯電話機のうちのいずれかに着信したときこの着信があったことをユーザに通知するため、前記携帯電話機での呼出設定および呼出回数の所定条件が満たされた場合には前記無線部を介して着信通知を受信し、前記携帯電話機から受信する信号に含まれる各携帯電話機に付与された端末番号を識別し、予め定めた当該の携帯電話機に対応する呼出音を出力する制御手段を備えることを特徴とする固定電話機。
【請求項４】
前記制御手段は、着信時の呼出方法をユーザ操作に基づいて設定・解除を行う呼出設定部と、前記呼出設定部で固定電話機を呼び出すように設定されていた場合に呼出回数が所定回数以上か否かを判定する呼出回数判定部と、前記呼出回数判定部での判定結果が所定回数以上の場合に前記固定電話機との通信が可能か否かを判定する固定電話通信可否判定部と、前記固定電話通信可否判定部で通信可能と判定された場合に前記携帯電話機への着信を前記固定電話機に通知する着信通知部と、前記呼出設定部の呼出設定が携帯電話機のみに対しての場合，呼出回数が所定回数以下の場合および固定電話機が通信圏外の場合のいずれかであるときには自携帯電話機のみを呼び出しあるいは前記着信通知部からの着信通知を受信した場合には前記固定電話機を呼び出す呼出制御部と、この呼出時に携帯電話機側および固定電話機側のいずれが応答したかを判定する応答端末判定部と、前記応答端末判定部の判定結果で携帯電話機が応答した場合には前記第２の無線部を介し前記固定電話機に対しそのことを示す応答信号を送信しあるいは固定電話機が応答した場合にはそのことを示す応答信号を受信すると共に呼び出しを停止させる応答信号送受信制御部と、前記応答信号の送受信が完了した後に発信者との通話路を設定する通話路設定部とを備えることを特徴とする請求項１記載の携帯電話機。
【請求項５】
前記制御手段は、前記携帯電話機からの着信通知を受信した場合には自固定電話機を呼び出す呼出制御部と、この呼出時に携帯電話機側および固定電話機側のいずれが応答したかを判定する応答端末判定部と、前記応答端末判定部の判定結果で固定電話機が応答した場合には前記無線部を介し前記携帯電話機に対しそのことを示す応答信号を送信しあるいは携帯電話機が応答した場合にはそのことを示す応答信号を受信すると共に呼び出しを停止させる応答信号送受信制御部と、前記応答信号の送受信が完了した後に発信者との通話路を設定する通話路設定部とを備えることを特徴とする請求項２記載の固定電話機。
【請求項６】
前記制御手段は、前記携帯電話機から通知される各携帯電話機に付与されている端末番号を識別する携帯電話端末番号識別部と、前記携帯電話端末番号識別部の識別結果に基づき予め定めた各携帯電話機に対応する呼出音を決定する呼出音決定部と、前記複数の携帯電話機のうち当該の携帯電話機への着信を知らせるため前記呼出音決定部が決定した当該の呼出音を出力する呼出制御部とを備えることを特徴とする請求項３記載の固定電話機。
【請求項７】
請求項１または請求項４に記載の携帯電話機と、請求項２または請求項５記載の固定電話機とを有することを特徴とする電話システム。
【請求項８】
請求項１または請求項４に記載の携帯電話機と、請求項３または請求項６記載の固定電話機とを有することを特徴とする電話システム。
【請求項９】
携帯電話機およびこの携帯電話機と近距離無線通信により通信可能な固定電話機を有する電話システムにおける呼出方法であって、前記携帯電話機により着信を検出し、この呼出時に前記固定電話機を呼び出す設定がなされているか否かを判定し、固定電話機を呼び出すように設定されていた場合には呼出回数が所定回数以上か否かを判定し、この判定が所定回数以上であった場合には前記固定電話機が前記携帯電話機の通信圏に存在するか否かを判定し、この判定が通信圏内であった場合には前記固定電話機に対し携帯電話機への着信があることを通知し、前記携帯電話機および前記固定電話機の双方により呼び出しを行うことを特徴とする電話システムにおける呼出方法。
【請求項１０】
前記設定が携帯電話機のみを呼び出すように設定されている場合，呼出回数が所定回数以下の場合および固定電話機が通信圏外の場合のいずれかであるときには自携帯電話機のみを呼び出すことを特徴とする請求項９記載の電話システムにおける呼出方法。
【請求項１１】
携帯電話機への着信時に固定電話機および携帯電話機の双方で呼出中に前記固定電話機および携帯電話機のうちどちらの電話機で応答したかを判定し、前記携帯電話機で応答した場合には、この携帯電話機から前記固定電話機に対して携帯電話機が応答したことを示す信号を送信し、前記固定電話機での呼出動作を終了させ、前記携帯電話機によって発信者との通話を行わせることを特徴とする請求項９記載の電話システムにおける呼出方法。
【請求項１２】
携帯電話機への着信時に固定電話機および携帯電話機の双方で呼出中に前記固定電話機および携帯電話機のうちどちらの電話機で応答したかを判定し、前記固定電話機で応答した場合には、この固定電話機から前記携帯電話機に対して固定電話機が応答したことを示す信号を送信し、前記携帯電話機での呼出動作を終了させ、前記固定電話機によって発信者との通話を行わせることを特徴とする請求項９記載の電話システムにおける呼出方法。
【請求項１３】
所定のエリアに呼出可能な複数の携帯電話機が存在する場合には、着信通知される信号と共に複数の携帯電話機のそれぞれに付与されている端末番号を識別し、この識別結果に基づき予め定めた当該携帯電話機に対応する呼出音の種別を決定し、この決定された呼出音を前記固定電話機から出力することを特徴とする請求項９記載の電話システムにおける呼出方法。
【発明の詳細な説明】
【技術分野】
【０００１】
本発明は携帯電話機およびこれを使用した電話システムに関し、特にその呼出機能に関する。
【背景技術】
【０００２】
一般的に家庭にあるような固定電話機において、着信の呼び出しに気付かず、電話に出ることができないという状況はあまりない。たとえ電話に出る前に切れてしまった場合でも電話がかかってきたということは十分認識できる。しかし、携帯電話機の場合には、例えばマナーモードを設定したままで鞄や洋服の中に入れっぱなしであった場合や、着信音を設定していても別の部屋に置いていて、呼び出しに気付かないなどの状況がしばしば起こる。そのため、電話に出ることが出来ず、また、不在着信にすら気付かないということがある。
【０００３】
これに関連する従来の技術として、携帯電話機に入った着信を呼び出しに気付きやすい自宅の固定電話機などへ転送する機能がある。しかし、外出先から帰宅するたびに毎回設定し、外出する際には毎回解除することは非常に面倒であり、設定を忘れてしまうことが考えられる。また、この場合、携帯電話機での着信が不可能となる。特許文献１では、コードレスの子機としての機能も持つＰＨＳへの着信を、充電器を介してまたはＰＨＳ自身を中継局として親機へ転送し、呼び出しおよび通話ができるといった技術が開示されている。また、携帯電話機と自宅内の固定電話機の両方を所持する利用者が自宅にいる場合、携帯電話機への着信を固定電話機で受けることができる電話システムが開示されている（例えば、特許文献２参照）。
【０００４】
【特許文献１】特開平１０−１７３７４４号公報（段落番号００１９および図１）
【０００５】
【特許文献２】特開２００２−３１５０５１号公報（段落番号０００６および０００７）
【発明の開示】
【発明が解決しようとする課題】
【０００６】
上述した前者の電話システムの場合、ＰＨＳの着信は常に親機でも呼び出しが行われるため、ＰＨＳで応答が十分可能な場合でも親機を呼び出してしまうという問題がある。また、後者では、携帯電話機への着信を固定電話機で受信することはできるものの、実際の使用に際しさらに決めが細かく使い勝手のよい、すなわち、携帯電話機の呼び出し方法および状況を判断し、着信に気付きにくいと判断した場合には、固定電話機からも呼び出しを行うことで、着信していることを携帯電話機の持ち主に確実に知らせることが可能な電話システムが求められている。
【０００７】
本発明の目的は、面倒な設定をすることなく、携帯電話機でも近傍の固定電話機でも着信および呼び出しが可能で、さらに、携帯電話機の設定や状況に応じて固定電話機で呼び出すかどうかの判別を行い、不必要に固定電話機に転送することがないようにした携帯電話機，固定電話機および電話システムならびにその呼出方法を提供することにある。
【課題を解決するための手段】
【０００８】
請求項１に記載の本発明は、基地局と通信を行う第１の無線部と、固定電話機との近距離無線通信を行う第２の無線部とを備える携帯電話機であって、着信時に自身の呼び出しに加え前記携帯電話機に着信があることをユーザに通知するため、この着信時の呼出設定および呼出回数を判定し、所定条件が満たされた場合には前記第２の無線部を介して着信通知を送信し前記固定電話機を呼び出して応答可能にさせる制御手段を備える。
【０００９】
請求項２に記載の本発明は、携帯電話機と近距離無線通信を行う無線部を備える固定電話機であって、前記携帯電話機への着信時にこの携帯電話機への着信があったことをユーザに通知するため、前記携帯電話機での呼出設定および呼出回数の所定条件が満たされた場合には前記無線部を介して着信通知を受信し固定電話機の呼び出しを行い応答可能にさせる制御手段を備える。
【００１０】
請求項３に記載の本発明は、携帯電話機と近距離無線通信を行う無線部を備える固定電話機であって、所定のエリアに存在する複数の携帯電話機のうちのいずれかに着信したときこの着信があったことをユーザに通知するため、前記携帯電話機での呼出設定および呼出回数の所定条件が満たされた場合には前記無線部を介して着信通知を受信し、前記携帯電話機から受信する信号に含まれる各携帯電話機に付与された端末番号を識別し、予め定めた当該の携帯電話機に対応する呼出音を出力する制御手段を備える。
【００１１】
請求項４に記載の本発明は、請求項１において、前記制御手段は、着信時の呼出方法をユーザ操作に基づいて設定・解除を行う呼出設定部と、前記呼出設定部で固定電話機を呼び出すように設定されていた場合に呼出回数が所定回数以上か否かを判定する呼出回数判定部と、前記呼出回数判定部での判定結果が所定回数以上の場合に前記固定電話機との通信が可能か否かを判定する固定電話通信可否判定部と、前記固定電話通信可否判定部で通信可能と判定された場合に前記携帯電話機への着信を前記固定電話機に通知する着信通知部と、前記呼出設定部の呼出設定が携帯電話機のみに対しての場合，呼出回数が所定回数以下の場合および固定電話機が通信圏外の場合のいずれかであるときには自携帯電話機のみを呼び出しあるいは前記着信通知部からの着信通知を受信した場合には前記固定電話機を呼び出す呼出制御部と、この呼出時に携帯電話機側および固定電話機側のいずれが応答したかを判定する応答端末判定部と、前記応答端末判定部の判定結果で携帯電話機が応答した場合には前記第２の無線部を介し前記固定電話機に対しそのことを示す応答信号を送信しあるいは固定電話機が応答した場合にはそのことを示す応答信号を受信すると共に呼び出しを停止させる応答信号送受信制御部と、前記応答信号の送受信が完了した後に発信者との通話路を設定する通話路設定部とを備える。
【００１２】
請求項５に記載の本発明は、請求項２において、前記制御手段は、前記携帯電話機からの着信通知を受信した場合には自固定電話機を呼び出す呼出制御部と、この呼出時に携帯電話機側および固定電話機側のいずれが応答したかを判定する応答端末判定部と、前記応答端末判定部の判定結果で固定電話機が応答した場合には前記無線部を介し前記携帯電話機に対しそのことを示す応答信号を送信しあるいは携帯電話機が応答した場合にはそのことを示す応答信号を受信すると共に呼び出しを停止させる応答信号送受信制御部と、前記応答信号の送受信が完了した後に発信者との通話路を設定する通話路設定部とを備える。  請求項６に記載の本発明は、請求項３において、前記制御手段は、前記携帯電話機から通知される各携帯電話機に付与されている端末番号を識別する携帯電話端末番号識別部と、前記携帯電話端末番号識別部の識別結果に基づき予め定めた各携帯電話機に対応する呼出音を決定する呼出音決定部と、前記複数の携帯電話機のうち当該の携帯電話機への着信を知らせるため前記呼出音決定部が決定した当該の呼出音を出力する呼出制御部とを備える。
【００１３】
請求項７に記載の本発明は、請求項１または請求項４に記載の携帯電話機と、請求項２または請求項５記載の固定電話機とを有する。
【００１４】
請求項８に記載の本発明は、請求項１または請求項４に記載の携帯電話機と、請求項３または請求項６記載の固定電話機とを有する。
【００１５】
請求項９に記載の本発明は、携帯電話機およびこの携帯電話機と近距離無線通信により通信可能な固定電話機を有する電話システムにおける呼出方法であって、前記携帯電話機により着信を検出し、この呼出時に前記固定電話機を呼び出す設定がなされているか否かを判定し、固定電話機を呼び出すように設定されていた場合には呼出回数が所定回数以上か否かを判定し、この判定が所定回数以上であった場合には前記固定電話機が前記携帯電話機の通信圏に存在するか否かを判定し、この判定が通信圏内であった場合には前記固定電話機に対し携帯電話機への着信があることを通知し、前記携帯電話機および前記固定電話機の双方により呼び出しを行う。
【００１６】
請求項１０に記載の本発明は、請求項９において、前記設定が携帯電話機のみを呼び出すように設定されている場合，呼出回数が所定回数以下の場合および固定電話機が通信圏外の場合のいずれかであるときには自携帯電話機のみを呼び出す。
【００１７】
請求項１１に記載の本発明は、請求項９において、携帯電話機への着信時に固定電話機および携帯電話機の双方で呼出中に前記固定電話機および携帯電話機のうちどちらの電話機で応答したかを判定し、前記携帯電話機で応答した場合には、この携帯電話機から前記固定電話機に対して携帯電話機が応答したことを示す信号を送信し、前記固定電話機での呼出動作を終了させ、前記携帯電話機によって発信者との通話を行わせる。
【００１８】
請求項１２に記載の本発明は、請求項９において、携帯電話機への着信時に固定電話機および携帯電話機の双方で呼出中に前記固定電話機および携帯電話機のうちどちらの電話機で応答したかを判定し、前記固定電話機で応答した場合には、この固定電話機から前記携帯電話機に対して固定電話機が応答したことを示す信号を送信し、前記携帯電話機での呼出動作を終了させ、前記固定電話機によって発信者との通話を行わせる。
【００１９】
請求項１３に記載の本発明は、請求項９において、所定のエリアに呼出可能な複数の携帯電話機が存在する場合には、着信通知される信号と共に複数の携帯電話機のそれぞれに付与されている端末番号を識別し、この識別結果に基づき予め定めた当該携帯電話機に対応する呼出音の種別を決定し、この決定された呼出音を前記固定電話機から出力する。
【発明の効果】
【００２０】
本発明による第１の効果としては、携帯電話機に着信が入った場合、固定電話機からも着信音を鳴らすことにより、ユーザが携帯電話機の呼び出しに気が付かない状況でも、固定電話機から呼び出しを行うことで、ユーザに着信を知らせることが出来る。また第２の効果としては、携帯電話機の着信に気付きにくい状況下において着信が入った場合、携帯電話機の呼び出し方法や、呼出回数に応じて、固定電話機で呼び出すか否かを判別するので、携帯電話機で十分応答可能な場合に、むやみに固定電話機を占有することがない。さらに第３の効果としては、従来の転送機能のように、携帯電話機の通話の機能を停止することは必要なく、固定電話機、携帯電話機のどちらでも待ち受けおよび着信応答でき、通話可能とする機会を増すことができる。
【発明を実施するための最良の形態】
【００２１】
次に、本発明の実施の形態について図面を参照して説明する。
【００２２】
本発明の第１の実施の形態を示す図１を参照すると、携帯電話機１１０は基地局１００と無線回線で接続され、固定電話機１２０は有線電話網１３０と有線回線で接続されている。携帯電話機１１０は、基地局１００と無線信号の送受信を行う無線部Ａ１１１と、固定電話機１２０と無線通信を行う無線部Ｂ１１２と、ユーザが外部から操作を行う操作部１１４と、ユーザに呼び出しを知らせる手段であるスピーカ１１５，ＬＥＤ１１６，バイブレータ１１７と、これら各部を制御する中央制御部１１３とを有する。固定電話機１２０は、有線電話網と接続を行う接続部１２１と、携帯電話機１１０と無線通信を行う無線部Ｃ１２２と、ユーザが外部から操作を行う操作部１２４と、ユーザに呼び出しを知らせる手段であるスピーカ１２５と、これら各部を制御する中央制御部１２３とを有する。携帯電話機１１０の無線部Ｂ１１２と固定電話機１２０の無線部Ｃ１２２間は、例えば自宅内で、無線ＬＡＮやＢｌｕｅｔｏｏｔｈなどの近距離無線伝送方式でデータの送受信を行う。
【００２３】
図１において、携帯電話機１１０は、基地局１００より着信が入ると、無線部Ａ１１１を介し中央制御部１１３へ着信信号を送信する。中央制御部１１３は、着信音やバイブレータ、ＬＥＤ（発光ダイオード）点滅など、予め設定された手段で呼び出しを行う。このとき、中央制御部１１３はユーザが呼び出しに気付きにくい状況、例えばバイブレータのみまたはＬＥＤ点滅のみの設定や、呼出回数が所定回数を超えることを検出した場合、携帯電話機１１０に着信が入ったことを知らせる信号を、無線部Ｂ１１２を介して固定電話機１２０に送信する。それを受けた固定電話機１２０は、携帯電話機に着信が入ったことを中央制御部１２３へ伝える。中央制御部１２３はスピーカ１２５で呼出音を鳴らす。
【００２４】
図２（ａ）は図１における携帯電話機の中央制御部の本発明関連部分を示すブロック図である。中央制御部１１３は、呼出設定部１１３１と、呼出回数判定部１１３２と、固定電話通信可否判定部１１３３と、着信通知部１１３４と、呼出制御部１１３５と、応答端末判定部１１３６と、応答信号送受信制御部１１３７と、通話路設定部１１３８とを備える。呼出設定部１１３１は着信時の呼出方法をユーザ操作に基づいて設定・解除を行う。呼出回数判定部１１３２は、呼出設定部１１３１で固定電話機を呼び出すように設定されていた場合に呼出回数が所定回数以上か否かを判定する。固定電話通信可否判定部１１３３は、呼出回数判定部１１３２での判定結果が所定回数以上の場合に固定電話機との通信が可能か否かを判定する。着信通知部１１３４、固定電話通信可否判定部１１３３で通信可能と判定された場合に携帯電話機への着信を固定電話機に通知する。呼出制御部１１３５は、呼出設定部１１３１の呼出設定が携帯電話機のみに対しての場合，呼出回数が所定回数以下の場合および固定電話機が通信圏外の場合のいずれかであるときには自携帯電話機のみを呼び出しあるいは着信通知部１１３４からの着信通知を受信した場合には固定電話機を呼び出す。応答端末判定部１１３６は、この呼出時に携帯電話機側および固定電話機側のいずれが応答したかを判定する。応答信号送受信制御部１１３７は、応答端末判定部１１３６の判定結果で携帯電話機が応答した場合には無線部Ｂ１１２を介し固定電話機に対しそのことを示す応答信号を送信しあるいは固定電話機が応答した場合にはそのことを示す応答信号を受信すると共に呼び出しを停止させる。通話路設定部１１３８は、応答信号の送受信が完了した後に発信者との通話路を設定する。
【００２５】
図２（ｂ）は図１における固定電話機の中央制御部の本発明関連部分を示すブロック図である。中央制御部１２３は、呼出制御部１２３５と、応答端末判定部１２３６と、応答信号送受信制御部１２３７と、通話路設定部１２３８とを備える。呼出制御部１２３５は携帯電話機からの着信通知を受信した場合には自固定電話機を呼び出す。応答端末判定部１２３６はこの呼出時に携帯電話機側および固定電話機側のいずれが応答したかを判定する。応答信号送受信制御部１２３７は、応答端末判定部１２３６の判定結果で固定電話機が応答した場合には無線部Ｃ１２２を介し携帯電話機に対しそのことを示す応答信号を送信しあるいは携帯電話機が応答した場合にはそのことを示す応答信号を受信すると共に呼び出しを停止させる。通話路設定部１２３８は応答信号の送受信が完了した後に発信者との通話路を設定する。
【００２６】
図３は本発明の第１の実施の形態における呼出動作を説明するためのフローチャートである。以下に、図１および図３を参照して動作を説明する。
【００２７】
携帯電話機１１０において、着信を受けたときの呼出方法は携帯電話機のユーザにより任意に設定されている。また、数種の呼出方法の中で、「手元に携帯電話機がない場合、呼び出しに気付きにくい」とする呼出方法を「固定呼出設定」として予め携帯電話機１１０に設定しておく。基地局１００より携帯電話機１１０へ着信が入ると、無線部Ａ１１１を介し、中央制御部１１３へ着信信号を送信する。着信信号を受けた中央制御部１１３は、それを検出し（ステップ３１：Ｓ３１と略称、以下同様）、スピーカ１１５、ＬＥＤ１１６、バイブレータ１１７など予め設定された手段により呼び出しを行う（Ｓ３２）。このとき中央制御部１１３は、呼出方法が「固定呼出設定」であるかどうかを判別する（Ｓ３３）。「固定呼出設定」であると判断した場合、次に、呼出回数が所定回数（あるいは所定時間でもよい）以上であるかどうかを中央制御部１１３で判断する（Ｓ３４）。呼出回数が所定回数（時間）以上であった場合、携帯電話機１１０に着信が入ったことを知らせる信号を、無線部Ｂ１１２を介して固定電話機１２０の無線部Ｃ１２２に送信する。携帯電話機１１０の無線部Ｂ１１２と固定電話機１２０の無線部Ｃ１２２が通信圏内であると（Ｓ３５）、固定電話機１２０は上述した携帯着信の信号を受信し、固定電話機１２０の中央制御部１２３へ携帯の着信を伝える（Ｓ３６）。中央制御部１２３は、スピーカ１２５で呼出音を鳴らし携帯電話機１１０の着信を知らせる。一方、携帯電話機の呼出方法が「固定呼出設定」でない場合や、呼び出しが所定回数（時間）に満たない場合、外出時など固定電話機１２０が通信圏外であった場合は、携帯電話機１１０のみで呼び出しを行う（Ｓ３８）。このとき、固定電話機１２０は有線回線と接続された通常の固定電話機の待ち受け状態となる。
【００２８】
次に、呼び出しを確認し応答する場合の動作を図４のフローチャートを参照して説明する。携帯電話機のみの呼び出しの場合は、通常の携帯電話機の着信応答と同様である。このとき、固定電話機１２０は通常の有線電話網の待ち受け状態となる。携帯電話機１１０の着信を受け、携帯電話機１１０および固定電話機１２０の両方で呼び出している場合（Ｓ４０１）、携帯電話機１１０で着信応答すると、中央制御部１１３がそれを検出し（Ｓ４０２）、無線部Ｂ１１２を介して固定電話機１２０へ着信応答したことを知らせる応答信号を送信する（Ｓ４０３）。固定電話機１２０の中央制御部１２３が携帯電話機１１０での応答信号を受信すると、固定電話機１２０での呼び出しを終了し（Ｓ４０４）、無線部Ｂ１１２−Ｃ１２２の通信を終了する（Ｓ４０５）。そして、携帯電話機１１０で発信者との通話を行う（Ｓ４０６）。このとき、固定電話機１２０は通常の有線回線の待ち受け状態となる。一方、固定電話機１２０で応答すると、中央制御部１２３が固定電話機で応答したことを検出し、無線部Ｃ１２２を通して携帯電話機へ応答信号を送信する（Ｓ４０７）。携帯電話機１１０の中央制御部１１３がこの応答信号を受信すると、携帯電話機での呼び出しを終了する（Ｓ４０８）。そして、無線部Ｂ１１２−Ｃ１２２を介して、基地局１００と固定電話機１２０の間で通信を行い（Ｓ４０９）、固定電話機１２０で発信者との通話を行う（Ｓ４１０）。
【００２９】
図５（ａ）は本発明の電話システムにおける第２の実施の形態を説明するための図である。この場合、複数の携帯電話機が所定のエリア、例えば自宅内に存在する場合、これら携帯電話機への着信を個別の呼出音にて呼び出しを行う。図５（ａ）において、電話システムは、基地局５００と、この基地局５００と無線通信が可能な携帯電話機５１１〜５１４と、有線電話網に接続される固定電話機５２０とを有する。図５（ｂ）は（ａ）における固定電話機の中央制御部の本発明関連部分を示すブロック図である。固定電話機５２０の中央制御部（図示せず）は、携帯電話端末番号識別部５２０１と、呼出音決定部５２０２と、呼出制御部５２０３とを備える。携帯電話端末番号識別部５２０１は、携帯電話機から通知される各携帯電話機に付与されている端末番号を識別する。呼出音決定部５２０２は、携帯電話端末番号識別部５２０１の識別結果に基づき予め定めた各携帯電話機に対応する呼出音を決定する。呼出制御部５２０３は、複数の携帯電話機のうち当該の携帯電話機への着信を知らせるため呼出音決定部５２０２が決定した当該の呼出音を出力する。固定電話機５２０と各携帯電話機５１１〜５１４とは、先に示した第１の実施の形態の固定電話機および携帯電話機同様、無線ＬＡＮなどの伝送方法により無線通信が可能である。
【００３０】
以下に、第２の実施の形態の動作を説明する。予め携帯電話機５１１、５１２、５１３、５１４の識別番号とそれぞれに対応した呼出音を固定電話機５２０に登録しておく。基地局５００より携帯電話機５１３に着信が入ると、携帯電話機５１３は呼出方法、呼出回数、時間など、予め設定した条件について判定を行い、所定条件を満たした場合、固定電話機５２０に着信を知らせる信号を送信する。このとき、固定電話機５２０に予め登録している携帯電話機５１３の識別番号を、着信を知らせる信号と一緒に固定電話機５２０に送信する。固定電話機５２０では、携帯電話機５１３の識別番号と、着信を知らせる信号とを受信すると、携帯電話機５１３固有の呼出音を鳴らし、携帯電話機５１３に着信が入ったことを知らせる。この固有の呼出音を用いることで、他の携帯電話機の着信との区別が可能である。また、同様にメール着信であることを知らせる信号を送付し、それに対しての着信音を設定していると、メール着信についても認識可能である。
【図面の簡単な説明】
【００３１】
【図１】本発明の電話システムにおける第１の実施の形態を示すブロック図である。
【図２】（ａ）は図１における携帯電話機の中央制御部の本発明関連部分を示すブロック図である。（ｂ）は図１における固定電話機の中央制御部の本発明関連部分を示すブロック図である。
【図３】本発明の第１の実施の形態における呼出動作を説明するためのフローチャートである。
【図４】本発明の第１の実施の形態における応答動作を説明するためのフローチャートである。
【図５】（ａ）は本発明の電話システムにおける第２の実施の形態を説明するための図である。（ｂ）は（ａ）における固定電話機の中央制御部の本発明関連部分を示すブロック図である。
【符号の説明】
【００３２】
１００，５００    基地局
１１０，５１１〜５１４    携帯電話機
１１１    無線部Ａ
１１２    無線部Ｂ
１１３，１２３    中央制御部
１１４，１２４    操作部
１１５，１２５    スピーカ
１１６    ＬＥＤ
１１７    バイブレータ
１２０，５２０    固定電話機
１２１    接続部
１２２    無線部Ｃ
１１３１    呼出設定部
１１３２    呼出回数判定部
１１３３    固定電話通信可否判定部
１１３４    着信通知部
１１３５，１２３５，５２０３    呼出制御部
１１３６，１２３６    応答端末判定部
１１３７，１２３７    応答信号送受信制御部
１１３８，１２３８    通話路設定部
５２０１    携帯電話端末番号識別部
５２０２    呼出音決定部
【図１】
2005033635.tif 000003
【図２】
2005033635.tif 000004
【図３】
2005033635.tif 000005
【図４】
2005033635.tif 000006
【図５】
2005033635.tif 000007